【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
監視対象空間に設置され、それぞれ他の撮像部とは少なくとも一部が異なる撮影範囲を有する複数の撮像部で撮像された各画像から、監視対象である特定移動体を検出する特定移動体検出手段と、
前記特定移動体検出手段で検出した特定移動体が移動しようとしている方向を少なくとも特定するための移動情報を検出する移動情報検出手段と、
前記移動情報検出手段で検出した移動情報と、前記複数の撮像部のそれぞれの撮像範囲を示す情報とに基づいて、当該特定移動体を撮像している第一の撮像部の次に当該特定移動体を撮像する第二の撮像部を予測する予測手段と、
前記予測手段で予測した結果を特定するための表示を、前記第二の撮像部で前記特定移動体を撮像する前に行わせる表示制御手段と、を備え、
前記表示制御手段は、前記特定移動体が前記第二の撮像部で撮像する画像のどのあたりに出現するのかを示す範囲を表示させることを特徴とする映像処理装置。
【請求項２】
前記移動情報検出手段は、
前記移動情報として、前記特定移動体の移動方向を示す情報を検出することを特徴とする請求項１に記載の映像処理装置。
【請求項３】
前記移動情報検出手段は、
前記移動情報として、前記特定移動体の移動速度を示す情報をさらに検出することを特徴とする請求項１又は２に記載の映像処理装置。
【請求項４】
前記表示制御手段は、
前記第二の撮像部で撮像された画像を、前記第二の撮像部で前記特定移動体を撮像する前に強調表示させることを特徴とする請求項１〜３のいずれか１項に記載の映像処理装置。
【請求項５】
前記表示制御手段は、前記複数の撮像部で撮像された複数の画像を１つの画面で分割表示可能な複数画面表示部に、前記複数の画像を表示させ、
前記第二の撮像部で撮像された画像を、前記複数画面表示部で分割表示される前記複数の画像よりも大きく表示させるための表示制御を前記第二の撮像部で前記特定移動体を撮像する前に実行することを特徴とする請求項４に記載の映像処理装置。
【請求項６】
前記表示制御手段は、前記複数の撮像部で撮像された複数の画像を１つの画面で分割表示可能な複数画面表示部に、前記複数の画像を表示させ、
前記複数画面表示部で分割表示される前記複数の画像のうち、前記第二の撮像部で撮像された画像を、他の撮像部で撮像された画像とは異なる視覚的効果を付与して表示させることを特徴とする請求項４又は５に記載の映像処理装置。
【請求項７】
前記第二の撮像部の撮影範囲のうち、前記特定移動体が出現すると予測される出現予測範囲を、前記移動情報検出手段で検出した移動情報と、前記第二の撮像部の撮像範囲を示す情報とに基づいて特定する出現予測範囲特定手段を備え、
前記表示制御手段は、
前記第二の撮像部で前記特定移動体を撮像する前に、前記第二の撮像部で撮像された画像に、前記出現予測範囲特定手段で特定した出現予測範囲を示す情報を重畳して表示させることを特徴とする請求項１〜６のいずれか１項に記載の映像処理装置。
【請求項８】
前記複数の撮像部のパン機構、チルト機構及びズーム機構の少なくとも１つを駆動制御するための制御指令を出力する駆動制御手段を備え、
前記出現予測範囲特定手段は、
前記駆動制御手段が出力する制御指令に基づいて前記第二の撮像部の撮像範囲を検出し、当該検出された撮像範囲を前記出現予測範囲の特定に用いることを特徴とする請求項７に記載の映像処理装置。
【請求項９】
前記移動情報検出手段は、複数の移動情報を検出するものであって、
前記予測手段による予測結果の正否情報を取得する正否情報取得手段をさらに備え、
前記予測手段は、前記正否情報取得手段で取得した正否情報に基づいて、前記移動情報検出手段で検出した複数の移動情報の重み付けを変更して第二の撮像部を予測することを特徴とする請求項１〜８のいずれか１項に記載の映像処理装置。
【請求項１０】
前記特定移動体検出手段で検出した特定移動体の特徴量に応じて、前記予測手段によって前記第二の撮像部を予測する処理を実施するか否かを判定する判定手段を備えることを特徴とする請求項１〜９のいずれか１項に記載の映像処理装置。
【請求項１１】
監視対象空間に設置され、それぞれ他の撮像部とは少なくとも一部が異なる撮影範囲を有する複数の撮像部で撮像された各画像から、監視対象である特定移動体を検出するステップと、
前記特定移動体が移動しようとしている方向を少なくとも特定するための移動情報を検出するステップと、
前記移動情報と、前記複数の撮像部のそれぞれの撮像範囲を示す情報とに基づいて、当該特定移動体を撮像している第一の撮像部の次に当該特定移動体を撮像する第二の撮像部を予測するステップと、
前記予測された前記第二の撮像部で撮像された画像を、前記第二の撮像部で前記特定移動体を撮像する前に強調表示させる表示制御ステップと、を含み、
前記表示制御ステップでは、前記特定移動体が前記第二の撮像部で撮像する画像のどのあたりに出現するのかを示す範囲を表示させることを特徴とする映像処理方法。
【請求項１２】
前記表示制御ステップにおいて、前記第二の撮像部で前記特定移動体を撮像する前に、前記第二の撮像部で撮像された画像を強調表示することを特徴とする請求項１１に記載の映像処理方法。
【請求項１３】
監視対象空間に配置された複数の撮像装置と、当該複数の撮像装置と通信可能に接続された映像表示装置とを備える映像処理システムであって、
前記撮像装置に設けられ、他の撮像装置とは少なくとも一部が異なる撮像範囲を有する撮像手段と、
前記撮像装置及び前記映像表示装置の少なくとも一方に設けられ、前記撮像部で撮像した画像から、監視対象である特定移動体を検出する特定移動体検出手段と、
前記撮像装置及び前記映像表示装置の少なくとも一方に設けられ、前記特定移動体検出手段で検出した特定移動体が移動しようとしている方向を少なくとも特定するための移動情報を検出する移動情報検出手段と、
前記映像表示装置に設けられ、前記移動情報検出手段で検出した移動情報と、前記複数の撮像装置のそれぞれの撮像範囲を示す情報とに基づいて、前記特定移動体を撮像している第一の撮像装置の次に当該特定移動体を撮像する第二の撮像装置を予測する第二の撮像装置予測手段と、
前記映像表示装置に設けられ、前記第二の撮像装置予測手段で予測した結果を特定するための表示を、前記第二の撮像装置で前記特定移動体を撮像する前に行わせる表示制御手段と、を備え、
前記表示制御手段は、前記特定移動体が前記第二の撮像部で撮像する画像のどのあたりに出現するのかを示す範囲を表示させることを特徴とする映像処理システム。
【請求項１４】
コンピュータを、前記請求項１〜１０のいずれか１項に記載の映像処理装置の各手段として機能させるためのプログラム。
【手続補正２】
【補正対象書類名】明細書
【補正対象項目名】０００７
【補正方法】変更
【補正の内容】
【０００７】
上記課題を解決するために、本発明に係る映像処理装置の一態様は、監視対象空間に設置され、それぞれ他の撮像部とは少なくとも一部が異なる撮影範囲を有する複数の撮像部で撮像された各画像から、監視対象である特定移動体を検出する特定移動体検出手段を備える。また、前記特定移動体検出手段で検出した特定移動体が移動しようとしている方向を少なくとも特定するための移動情報を検出する移動情報検出手段と、前記移動情報検出部で検出した移動情報と、前記複数の撮像部のそれぞれの撮像範囲を示す情報とに基づいて、当該特定移動体を撮像している第一の撮像部の次に当該特定移動体を撮像する第二の撮像部を予測する予測手段と、を備える。さらに、前記予測手段で予測した結果を特定するための表示を、前記第二の撮像部で前記特定移動体を撮像する前に行わせる表示制御手段を備える。前記表示制御手段は、前記特定移動体が前記第二の撮像部で撮像する画像のどのあたりに出現するのかを示す範囲を表示させる。